(57)【要約】  一態様によれば、本明細書は少なくとも１個の第１及び１個の第２の検出波長の検出に適した赤外マルチスペクトル撮像装置（２０）に関する。本装置は、所与の寸法の像視野を形成する所定の寸法の基本検出器（２３ｉ）の組を含む検出マトリクスアレイ（２３）と、所与の開口数（Ｎ）及び所与の焦点距離（Ｆ）を有し、前記開口数及び焦点距離が像視野の全ての位置で基本焦点の形成に適していて、前記焦点が少なくとも２個の並置された基本検出器の組をカバーする画像形成光学系（２２）とを含んでいる。本装置は更に、基本金属誘電体導波モード共鳴フィルタのマトリクスアレイ（２４）を含み、前記マトリクスアレイが、前記光学系の焦点深度よりも短い距離を置いて検出マトリクスアレイ（２３）の前方に配置されていて、基本フィルタの寸法が、前記像視野の各位置で形成された各基本焦点が少なくとも２個の基本フィルタをカバーするように選択されていて、前記基本フィルタが、前記検出波長のうち２個に等しい２個の異なる中心波長に中心を有するスペクトル帯域内の通過帯域伝送に最適化されている。
2020520467.tif 000002
【特許請求の範囲】
【請求項１】
少なくとも１個の第１及び１個の第２の検出波長の検出に適した赤外マルチスペクトル撮像用の装置（２０）であって、
−所与の寸法の像視野を形成する所定の寸法の基本検出器（２３ｉ）の組を含む検出マトリクスアレイ（２３）と、
−所与の開口数（Ｎ）及び所与の焦点距離（Ｆ）を有し、前記開口数及び焦点距離が像視野の全ての位置で基本焦点の形成に適していて、前記焦点が少なくとも２個の並置された基本検出器の組をカバーする画像形成光学系（２２）と、
−基本金属誘電体導波モード共鳴フィルタ（２４ｉ）のマトリクスアレイ（２４）であって、前記画像形成光学系の焦点深度よりも短い距離を置いて前記検出マトリクスアレイ（２３）の前方に配置されていて、前記基本フィルタの寸法が、前記像視野の各位置で形成された各基本焦点が少なくとも２個の基本フィルタをカバーするように選択されていて、前記基本フィルタが、前記検出波長のうち２個に等しい２個の異なる中心波長に中心を有するスペクトル帯域内の通過帯域伝送に最適化されたマトリクスアレイとを含む装置。
【請求項２】
前記基本フィルタの少なくとも１個が、平面波内で測定された前記装置の視野端角以上の角度公差を有し、前記視野端角が前記基本検出器のマトリクスアレイに垂直な方向において前記基本検出器のマトリクスアレイに到達すべく意図された最大傾斜光ビームの角度として定義される、請求項１に記載の赤外マルチスペクトル撮像用の装置。
【請求項３】
前記基本フィルタの各々が、１個の基本検出器の寸法とほぼ同一の寸法を有している、請求項１〜２のいずれか１項に記載の赤外マルチスペクトル撮像用の装置。
【請求項４】
前記基本フィルタのマトリクスアレイ（２４）の前記基本フィルタ（２４ｉ）がゾーン（Ｚｉ）の形式で配置されていて、各ゾーンが、２個の異なる中心波長に中心を有するスペクトル帯域内の通過帯域伝送に最適化された少なくとも２個の基本フィルタを含み、前記焦点の寸法よりも大きい寸法を有している、請求項１〜３のいずれか１項に記載の赤外マルチスペクトル撮像用の装置。
【請求項５】
前記基本フィルタのマトリクスアレイ（２４）が、誘電材料からなる導波管と、前記誘電材料からなる導波管の両側の２個の金属格子とを含む少なくとも１個の基本ＤＭＧ導波モード共鳴フィルタを含んでいる、請求項１〜４のいずれか１項に記載の赤外マルチスペクトル撮像用の装置。
【請求項６】
前記基本ＤＭＧ導波モード共鳴フィルタが懸架されていて、前記２個の金属格子が同一である、請求項５に記載の赤外マルチスペクトル撮像用の装置。
【請求項７】
前記基本ＤＭＧ導波モード共鳴フィルタが誘電材料からなる基板上に堆積されていて、前記基本フィルタの前記２個の金属格子が異なっている、請求項５に記載の赤外マルチスペクトル撮像用の装置。
【請求項８】
前記基本フィルタのマトリクスアレイが、その前面に単一の金属化部を有する少なくとも１個の基本導波モード共鳴フィルタを含み、前記フィルタが、基板上に堆積された誘電材料からなる導波管と、前記基板の反対側の面に二重金属格子とを含んでいる、請求項１〜７のいずれか１項に記載の赤外マルチスペクトル撮像装置。
【請求項９】
前記基本フィルタのマトリクスアレイ（２４）が「二原子」型である少なくとも１個の基本導波モード共鳴フィルタを含み、前記少なくとも１個の金属格子が、寸法が異なる少なくとも２個の開口を有するパターンを有している、請求項１〜８のいずれか１項に記載の赤外マルチスペクトル撮像装置。
【請求項１０】
少なくとも１個の第１の及び１個の第２の検出波長の検出に適した赤外マルチスペクトル撮像用の方法であって、
−所与の開口（Ｎ）の画像形成光学系によりシーンの画像を形成するステップ、及び所与の寸法の像視野を形成する所定の寸法の基本検出器の組を含む検出マトリクスアレイにより前記画像を取得するステップであって、前記画像形成光学系（２２）が前記像視野の全ての位置で少なくとも２個の並置された基本検出器の組をカバーする基本焦点を形成するステップと、
−前記画像形成光学系により集光された光ビームを、基本金属誘電体導波モード共鳴フィルタのマトリクスアレイ（２４）によりフィルタリングするステップであって、前記マトリクスアレイが画像形成光学系の焦点深度よりも短い距離を置いて前記検出マトリクスアレイ（２３）の前方に配置されていることにより前記像視野の各位置で形成された各基本焦点が少なくとも２個の基本フィルタをカバーし、前記基本フィルタが、前記検出波長のうち２個に等しい２個の異なる中心波長に中心を有するスペクトル帯域内の通過帯域伝送に最適化されているステップとを含む方法。
【発明の詳細な説明】
【技術分野】
【０００１】
本発明は赤外マルチスペクトル撮像用の装置及び方法に関する。
【背景技術】
【０００２】
可視又は近赤外領域において、ＣＣＤ又はＣＭＯＳデジタルカメラによりカラー画像を形成する様々な手段が知られている。例えば、スペクトル分割手段を用いて、複数の検出器上に、各種スペクトル帯域の各々における画像を形成することができる。また、カメラの前にフィルタホイールを配置して、各種スペクトル帯域の一連の画像を順次取得することも知られている。これら各々のケースにおいて、カラー画像は、各種スペクトル帯域で得られた様々な画像から再構築される。しかし最も広範に用いられている技術は、例えば、各種スペクトル帯域の画像を同時に、且つ人の視覚を極力そのまま再現する目的で単一の検出器で取得可能にする所謂「ベイヤ配列」（米国特許第３９７１０６５号明細書に記述）の形式で、ピクセル化されたフィルタのモザイクを形成する焦点面を構築するものである。これを行うため、赤、緑及び青色フィルタが、４個のピクセル化されたフィルタ（赤１個、緑２個、青１個）のモザイクの形式でカメラ（又はピクセル）の各基本検出器と同じ高さに配置されており、当該パターンは検出器の表面全体にわたり再現されている。次いで「デモザイク化」アルゴリズムによりカラー画像を再構築することができる。ピクセル化されたフィルタは一般に、干渉フィルタを形成する多層構造の形式で近赤外領域に生成され（例えば、Ｍ．Ｌｅｑｕｉｍｅ  ｅｔ  ａｌ．“２×２−Ａｒｒａｙ  Ｐｉｘｅｌａｔｅｄ  Ｏｐｔｉｃａｌ  Ｉｎｔｅｒｆｅｒｅｎｃｅ  Ｆｉｌｔｅｒｓ”、Ｐｒｏｃ．ＳＰＩＥ  Ｖｏｌ．９６２７，９６２７０Ｖ−１−９６２７０Ｖ−７，２０１５）、当該技術は公知である。可視領域では着色剤を用いてもよい。
【０００３】
赤外領域において、すなわち波長が典型的に３μｍ〜２０μｍの場合、マルチスペクトル撮像は、肉眼で検出されるものと同様の画像を再現するのではなく、例えば、スペクトル署名による化学種又は物体の識別、放射体の熱解析、物体のスペクトル放射率の判定等、広範な情報にアクセスすることも求められている。
【先行技術文献】
【特許文献】
【０００４】
【特許文献１】米国特許第３９７１０６５号明細書
【非特許文献】
【０００５】
【非特許文献１】Ｍ．Ｌｅｑｕｉｍｅ  ｅｔ  ａｌ．“２×２−Ａｒｒａｙ  Ｐｉｘｅｌａｔｅｄ  Ｏｐｔｉｃａｌ  Ｉｎｔｅｒｆｅｒｅｎｃｅ  Ｆｉｌｔｅｒｓ”、Ｐｒｏｃ．ＳＰＩＥ  Ｖｏｌ．９６２７，９６２７０Ｖ−１−９６２７０Ｖ−７，２０１５
【非特許文献２】Ｍ．Ｏｕｓｓａｌａｈ  ｅｔ  ａｌ．“Ｍｕｌｔｉｓｐｅｃｔｒａｌ  ｔｈｉｎ  ｆｉｌｍ  ｃｏａｔｉｎｇ  ｏｎ  ｉｎｆｒａｒｅｄ  ｄｅｔｅｃｔｏｒ”，Ｐｒｏｃ．ＳＰＩＥ，Ｖｏｌ．９６２７，９６２７１Ｗ−９６２７１Ｗ−１０，（２０１５）
【非特許文献３】Ｈａｉｄａｒ  ｅｔ  ａｌ．“Ｆｒｅｅ−ｓｔａｎｄｉｎｇ  ｓｕｂｗａｖｅｌｅｎｇｔｈ  ｍｅｔａｌｌｉｃ  ｇｒａｔｉｎｇｓ  ｆｏｒ  ｓｎａｐｓｈｏｔ  ｍｕｌｔｉｓｐｅｃｔｒａｌ  ｉｍａｇｉｎｇ”，Ａｐｐｌ．Ｐｈｙｓ．Ｌｅｔｔ．９６，２２１１０４，（２０１０）
【非特許文献４】Ｓａｋａｔ  ｅｔ  ａｌ．２０１１（“Ｇｕｉｄｅｄ  ｍｏｄｅ  ｒｅｓｏｎａｎｃｅ  ｉｎ  ｓｕｂｗａｖｅｌｅｎｇｔｈ  ｍｅｔａｌｌｏｄｉｅｌｅｃｔｒｉｃ  ｆｒｅｅ−ｓｔａｎｄｉｎｇ  ｇｒａｔｉｎｇ  ｆｏｒ  ｂａｎｄｐａｓｓ  ｆｉｌｔｅｒｉｎｇ”，Ｏｐｔ．Ｌｅｔｔ．３６，３０５４（２０１１）
【非特許文献５】Ｓａｋａｔ  ｅｔ  ａｌ．２０１３（Ｍｅｔａｌ−ｄｉｅｌｅｃｔｒｉｃ  ｂｉ−ａｔｏｍｉｃ  ｓｔｒｕｃｔｕｒｅ  ｆｏｒ  ａｎｇｕｌａｒ−ｔｏｌｅｒａｎｔ  ｓｐｅｃｔｒａｌ  ｆｉｌｔｅｒｉｎｇ，Ｏｐｔ，Ｌｅｔｔ．，３８，４２５，（２０１３））
【発明の概要】
【発明が解決しようとする課題】
【０００６】
３〜５μｍ帯域におけるマルチスペクトル赤外線撮像への多層構造の利用は開示されてきたが、いくつかの限界がある（Ｍ．Ｏｕｓｓａｌａｈ  ｅｔ  ａｌ．“Ｍｕｌｔｉｓｐｅｃｔｒａｌ  ｔｈｉｎ  ｆｉｌｍ  ｃｏａｔｉｎｇ  ｏｎ  ｉｎｆｒａｒｅｄ  ｄｅｔｅｃｔｏｒ”，Ｐｒｏｃ．ＳＰＩＥ，Ｖｏｌ．９６２７，９６２７１Ｗ−９６２７１Ｗ−１０，（２０１５）参照）。特に、これらの成分は、多数の層で形成され且つ注意深く材料が選択されていない場合、温度変化にさらされた際に脆さを呈する恐れがある。更に、赤外領域において、層の厚さが大きく（典型的に１μｍ超）、且つフィルタ毎に可変である。これにより、技術的困難に至るだけでなく、特にフィルタ毎の厚さの差から生じる寄生回折効果（縁端効果）に起因するスペクトル選択性の観点から性能低下が生じる恐れがある。
【０００７】
赤外マルチスペクトル撮像用に他の技術が開発されており、これらの技術は複数層の積層ではなく周期的なサブ波長構造で構成された金属層に基づいているため、特に限定された個数の層にも適用できる。
【０００８】
従って、Ｈａｉｄａｒ  ｅｔ  ａｌ．（“Ｆｒｅｅ−ｓｔａｎｄｉｎｇ  ｓｕｂｗａｖｅｌｅｎｇｔｈ  ｍｅｔａｌｌｉｃ  ｇｒａｔｉｎｇｓ  ｆｏｒ  ｓｎａｐｓｈｏｔ  ｍｕｌｔｉｓｐｅｃｔｒａｌ  ｉｍａｇｉｎｇ”，Ａｐｐｌ．Ｐｈｙｓ．Ｌｅｔｔ．９６，２２１１０４，（２０１０））に懸架サブ波長金属格子の使用に基づくマルチスペクトル赤外カメラが記述されている。これらの構造は、周期に依存する波長で顕著な透過率を有している。周期が異なる複数のフィルタを並置することにより、複数の撮像光チャネルを有し、各チャネルが更にスペクトルフィルタを含んでいることによりチャネル毎に所与のスペクトル帯域で典型的にミリメートル規模の領域である所与の領域で画像を形成可能なカメラを製造することができる。
【０００９】
従って図１に、従来技術によるマルチチャネル赤外カメラ１０を示す。当該カメラは、例えば、チャンバ１１内に配置されたレンズ又はマイクロレンズの組を含んでいる。図１に１２ａ、１２ｂ、１２ｃ及び１２ｄとして示すこれらのレンズは、基本検出器（又はピクセル）１３ｉにより形成された検出マトリクスアレイ１３上に画像を形成するのに適している。所与の検出波長に中心を有するスペクトル帯域における透過に際してフィルタリングに適したフィルタのマトリクスアレイ１４が各レンズ１２ｉの上流、例えば、チャンバ１１の入口ウインドウと同じ高さに位置している。図１に１４ｂ  １４ａ、１４ｃ及び１４ｄで示す各フィルタに対して、異なる検出波長に中心を有する透過スペクトル帯域を選択することにより、４個の異なる「色付き」画像が、典型的にミリメートル規模の寸法である検出区域において、基本検出器のマトリクスアレイ１３上に形成される。読み出し回路１５は、各々の画像に対して検出された信号の処理、及び計算装置（図示せず）への信号の送信に適している。このため「マルチチャネル」カメラに言及する。
【００１０】
Ｓａｋａｔ  ｅｔ  ａｌ．２０１１（“Ｇｕｉｄｅｄ  ｍｏｄｅ  ｒｅｓｏｎａｎｃｅ  ｉｎ  ｓｕｂｗａｖｅｌｅｎｇｔｈ  ｍｅｔａｌｌｏｄｉｅｌｅｃｔｒｉｃ  ｆｒｅｅ−ｓｔａｎｄｉｎｇ  ｇｒａｔｉｎｇ  ｆｏｒ  ｂａｎｄｐａｓｓ  ｆｉｌｔｅｒｉｎｇ”，Ｏｐｔ．Ｌｅｔｔ．３６，３０５４（２０１１））及びＳａｋａｔ  ｅｔ  ａｌ．２０１３（Ｍｅｔａｌ−ｄｉｅｌｅｃｔｒｉｃ  ｂｉ−ａｔｏｍｉｃ  ｓｔｒｕｃｔｕｒｅ  ｆｏｒ  ａｎｇｕｌａｒ−ｔｏｌｅｒａｎｔ  ｓｐｅｃｔｒａｌ  ｆｉｌｔｅｒｉｎｇ，Ｏｐｔ，Ｌｅｔｔ．，３８，４２５，（２０１３））に金属誘電体導波モード共鳴（ＧＭＲ）フィルタが記述されている。これらのフィルタは、自由空間との結合が金属格子により、特に誘電体内で回析されるオーダー±１で保証された薄い誘電層内における導波モード共鳴に基づいている。Ｈａｉｄｅｒ  ｅｔ  ａｌ．による構造に関して、これらのフィルタはより良い角度公差（Ｓａｋａｔ  ｅｔ  ａｌ．２０１３参照）を有していることにより、図１に示すようなマルチチャネルカメラ構成に設置された場合、フィルタのスペクトル性能を維持しながら、よりも大きい領域で機能できるようになる。
【００１１】
しかし、上述の周期的サブ波長構造に基づくフィルタにおいて、図１に示すマルチチャネルカメラのような大領域（典型的にはミリメートル規模の領域）にわたる使用の場合、平面波に対するＧＭＲフィルタの反応だけを、恐らくは当該波の入射角の関数として考慮する。
【００１２】
本特許出願において、検出ピクセルの規模の領域を有する金属誘電体ＧＭＲフィルタによる赤外マルチスペクトル撮像用の装置の実現可能性を提示し、「カラー」赤外画像を瞬時に取得する新規な小型の撮像器への道が初めて開かれた。
【課題を解決するための手段】
【００１３】
第１の態様によれば、本明細書は、少なくとも１個の第１及び１個の第２の検出波長の検出に適した赤外マルチスペクトル撮像用の装置に関し、当該装置は
−所与の寸法の像視野を形成する所定の寸法の基本検出器の組を含む検出マトリクスアレイと、
−所与の開口数及び所与の焦点距離を有し、前記開口数及び焦点距離が像視野の全ての位置で基本焦点の形成に適していて、前記焦点が少なくとも２個の並置された基本検出器の組をカバーする画像形成光学系と、
−基本金属誘電体導波モード共鳴フィルタのマトリクスアレイであって、画像形成光学系の焦点深度よりも短い距離を置いて検出マトリクスアレイの前方に配置されていて、基本フィルタの寸法が、像視野の各位置で形成された各基本焦点が少なくとも２個の基本フィルタをカバーするように選択されていて、前記基本フィルタが、前記検出波長のうち２個に等しい２個の異なる中心波長に中心を有するスペクトル帯域内の通過帯域伝送に最適化されたマトリクスアレイとを含んでいる。
【００１４】
所与の検出波長λｄに中心を有するスペクトル帯域内の通過帯域伝送に最適化された基本金属誘電体導波モード共鳴フィルタは、本明細書の文脈において、前記検出波長λｄで単一モードでのみ動作可能な導波管を形成する誘電材料からなる層、及び前記検出波長よりも短い所与の周期で反復する所与のパターンで構築された少なくとも１個の金属回折格子を含んでいる。少なくとも１個の回折格子は、前記検出波長λｄで入射する波を導波管のモードに結合するのに適している。
【００１５】
１個以上の実施形態の例によれば、回折格子の構築パターンは、所定の寸法の１個以上の開口を含み、当該開口は、周辺空気等の誘電材料又は基板を形成する導波管を形成する誘電材料等の別の誘電材料で満たされている。開口は、所与の幅の１次元スリット、垂直な２方向に配置された（十字形状の）所与の幅のスリットの形式をなしていても、又は円形開口等であってもよい。開口の幾何学的形状に依存して、基本フィルタは偏光選択性を示す場合も示さない場合もある。
【００１６】
出願人は、基本金属誘電導波モード共鳴フィルタが、寸法が数周期の領域が収束ビームにより照射された場合に、想定外の顕著な特性を示すことにより「ピクセル化された」基本フィルタ、すなわち寸法が各基本検出器又はピクセルの寸法の規模のオーダーであるフィルタを実現可能にすべく挙動することを示してきた。
【００１７】
公知のように、視野の所与の位置における焦点の形状及びサイズ並びに視野深度（又は像視野深度）は、画像形成光学系の光幾何学的特徴及び波長に依存する。焦点及び焦点深度の寸法を推定すべく、所定の波長値、例えば、赤外マルチスペクトル撮像用の装置により検出しようとする最短波長に対応する波長λｍｉｎが用いられる可能性がある。
【００１８】
例えば、軸対称な画像形成光学系に対して、焦点の直径のサイズは、所与の波長λ、例えば、最短検出波長で回折限界により与えられる直径Φに設定される可能性がある。
【００１９】
１個以上の実施形態の例によれば、前記基本フィルタの少なくとも１個は、装置の光幾何学的パラメータ、例えば、画像形成光学系及び／又は検出マトリクスアレイの光幾何学的パラメータに依存する所定値以上の角度公差を有している。
【００２０】
基本フィルタの角度公差Δθは、本明細書において、フィルタに垂直な方向において測定された所与の傾きでフィルタに入射し、且つ入射角がゼロ（垂直入射）のフィルタに入射する同一の平面波の最大透過率の半分に等しい最大透過率を有する平面波の入射角により定義される。
【００２１】
１個以上の実施形態の例によれば、前記所定値は、基本検出器の前記マトリクスアレイに垂直な方向において基本検出器のマトリクスアレイに到達すべく意図された最大傾斜光線の角度として定義される装置の視野端角である。この角度は、基本検出器のマトリクスアレイのサイズ、開口数、及び画像形成光学系の焦点距離に依存する。
【００２２】
１個以上の実施形態の例によれば、基本フィルタのマトリクスアレイの前記基本フィルタの各々は、装置の視野端角以上の角度公差を有している。具体的には、基本フィルタに求められる角度公差が像視野の中央で低くても、最大角度公差、すなわち像視野端に位置する基本フィルタに求められる角度公差を取得すべく基本フィルタのマトリクスアレイの全ての基本フィルタの最適化を判断することができる。
【００２３】
１個以上の実施形態の例によれば、前記基本フィルタの各々は、基本検出器の寸法とほぼ同一の寸法を有している。実施に際して、上述のように、基本金属誘電体導波モード共鳴フィルタは、誘電材料からなる導波管、及び所与の周期で反復する所与のパターンで構築された少なくとも１個の金属格子を含んでいる。基本フィルタの寸法は従って、パターンの寸法の倍数であって、基本検出器の寸法よりも僅かに大きいか又は僅かに小さい可能性がある。従って、ほぼ同一の寸法が意味するところは、基本フィルタの寸法と、基本検出器（ピクセル）の寸法の差異がフィルタの透過スペクトル帯域の中心波長よりも小さいことによりある。しかし、基本フィルタがピクセルの寸法の数倍、例えば、２〜４倍に等しい寸法を有していてよい。
【００２４】
１個以上の実施形態の例によれば、基本フィルタのマトリクスアレイの基本フィルタはゾーンの形式で配置されていて、各ゾーンは２個の異なる中心波長に中心を有するスペクトル帯域内の通過帯域伝送に最適化された少なくとも２個の基本フィルタを含み、各ゾーンは焦点の寸法よりも大きい寸法を有している。１個以上の実施形態の例によれば、基本濾過装置の配置は各ゾーンで同一である。
【００２５】
１個以上の実施形態の例によれば、基本フィルタのマトリクスアレイは、所与の検出波長λｄに中心を有するスペクトル帯域内の通過帯域伝送に最適化され、且つ前記検出波長λｄで単一モードでのみ動作可能な導波管を形成する誘電材料からなる層を含む少なくとも１個の基本二重金属格子（ＤＭＧ）導波モード共鳴フィルタと、誘電材料からなる層の両側に配置された２個の金属回折格子とを含んでいる。各金属格子は、検出波長よりも短い所与の周期で反復する所与のパターンで構築されていて、前記検出波長波長λｄで入射する波を導波管のモードに結合するのに適している。有利な特徴として、両方の格子の周期は同一である。
【００２６】
１個以上の実施形態の例によれば、基本ＤＭＧ導波モード共鳴フィルタは懸架されていて、基本フィルタの２個の金属格子は同一である（同種金属、同一パターン、同一周期）。
【００２７】
１個以上の実施形態の例によれば、基本ＤＭＧ導波モード共鳴フィルタは、誘電材料からなる基板上に堆積されていて、導波管の両側の誘電材料（例えば、空気及び基板）の屈折率の差異を考慮に入れるため、基本フィルタの２個の金属格子のパターンは異なる。有利な特徴として、両方の格子の周期は同一に維持される。
【００２８】
１個以上の実施形態の例によれば、基本フィルタのマトリクスアレイは「二原子」型の少なくとも１個の基本導波モード共鳴フィルタを含み、少なくとも１個の金属格子が、異なる寸法の少なくとも２個の開口、例えば、幅が異なる２個のスリットを有するパターンを有している。
【００２９】
１個以上の実施形態の例によれば、基本フィルタのマトリクスアレイは、自身の前面に単一の金属化部を有する少なくとも１個の基本導波モード共鳴フィルタを含み、前記フィルタが、一方の側に基板、及び他方の側に二重金属格子を有する誘電材料からなる導波管を含んでいて、当該格子が異なるパターンを有し、且つ１個以上の実施形態の例によれば、同一の周期を有している。
【００３０】
上述の例の各々において、基本フィルタのマトリクスアレイの全ての基本金属誘電体導波モード共鳴フィルタは同一であっても、又は対照的に、基本フィルタが、例えば、視野端と視野中心との間で変化してもよい。
【００３１】
１個以上の実施形態の例によれば、基本フィルタのマトリクスアレイの基本フィルタは同一基板上に配置されているため、製造が容易になる。当該フィルタは懸架されていてもよい。
【００３２】
第２の態様によれば、本明細書は、少なくとも１個の第１の及び１個の第２の波長の検出に適した赤外マルチスペクトル撮像用の方法に関し、当該方法は、
−所与の開口の画像形成光学系によりシーンの画像を形成するステップ、及び所与の寸法の像視野を形成する所定の寸法の基本検出器の組を含む検出マトリクスアレイにより前記画像を取得するステップであって、画像形成光学系が像視野の全ての位置で少なくとも２個の並置された基本検出器の組をカバーする基本焦点を形成するステップと、
−前記画像形成光学系により集光された光ビームを、基本金属誘電体導波モード共鳴フィルタのマトリクスアレイによりフィルタリングするステップであって、前記マトリクスアレイが画像形成光学系の焦点深度よりも短い距離を置いて検出マトリクスアレイの前方に配置されていることにより像視野の各位置で形成された各基本焦点が少なくとも２個の基本フィルタをカバーし、前記基本フィルタが、前記検出波長のうち２個に等しい２個の異なる中心波長に中心を有するスペクトル帯域内の通過帯域伝送に最適化されているステップとを含んでいる。
【００３３】
本発明の他の利点及び特徴は、以下の図で説明する記述内容を精査することにより明らかになる。
【図面の簡単な説明】
【００３４】
【図１】上述のように、従来技術によるマルチチャネル赤外カメラを示す。
【図２Ａ】本明細書の実施形態の一例による赤外マルチスペクトル撮像用の装置の模式図を示す。
【図２Ｂ】基本フィルタのマトリクスアレイであって、本明細書による赤外マルチスペクトル撮像用の装置に適したマトリクスアレイ内の基本金属誘電体導波モード共鳴濾過装置の配置の一例を示す。
【図３Ａ】本明細書による赤外マルチスペクトル撮像用の装置に適した懸架二原子ＤＭＧ金属誘電体ＧＭＲフィルタの実施形態の一例を示す。
【図３Ｂ】透過率のシミュレーション結果の２本の曲線を波長の関数として、及び二原子懸架ＤＭＧフィルタ（図３Ａ）の例のケースにおける（平面波への）入射角の関数として示す。
【図３Ｃ】透過率のシミュレーション結果の２本の曲線を波長の関数として、及び二原子懸架ＤＭＧフィルタ（図３Ａ）の例のケースにおける（平面波への）入射角の関数として示す。
【図４Ａ】本明細書による赤外マルチスペクトル撮像用の装置に適した基板上二原子ＤＭＧ金属誘電体ＧＭＲフィルタの実施形態の一例を示す。
【図４Ｂ】透過率のシミュレーション結果の２本の曲線を波長の関数として、及び基板上二原子ＤＭＧフィルタ（図４Ａ）の例のケースにおける（平面波への）入射角の関数として示す。
【図４Ｃ】透過率のシミュレーション結果の２本の曲線を波長の関数として、及び基板上二原子ＤＭＧフィルタ（図４Ａ）の例のケースにおける（平面波への）入射角の関数として示す。
【図５Ａ】前面に単一の金属化部を有する基板上金属誘電体ＧＭＲフィルタであって、本明細書による赤外マルチスペクトル撮像用の装置に適したフィルタの実施形態の一例を示す。
【図５Ｂ】透過率のシミュレーション結果の２本の曲線を波長の関数として、及び前面金属化部を有する基板上フィルタ（図５Ａ）の例のケースにおける（平面波への）入射角の関数として示す。
【図５Ｃ】透過率のシミュレーション結果の２本の曲線を波長の関数として、及び前面金属化部を有する基板上フィルタ（図５Ａ）の例のケースにおける（平面波への）入射角の関数として示す。
【図６Ａ】本明細書による赤外マルチスペクトル撮像用の装置に適していて、懸架二原子ＤＭＧ金属誘電体ＧＭＲフィルタを含むフィルタのマトリクスアレイの実施形態の一例、及び収束ビームにより照射された際のフィルタのマトリクスアレイ内への視野の制限を示すシミュレーション結果を模式的に示す。
【図６Ｂ】本明細書による赤外マルチスペクトル撮像用の装置に適していて、懸架二原子ＤＭＧ金属誘電体ＧＭＲフィルタを含むフィルタのマトリクスアレイの実施形態の一例、及び収束ビームにより照射された際のフィルタのマトリクスアレイ内への視野の制限を示すシミュレーション結果を模式的に示す。
【発明を実施するための形態】
【００３５】
図２Ａに、本明細書による赤外マルチスペクトル撮像用の装置の一例を示す。マルチスペクトル撮像が意味するところは、少なくとも２個の異なる検出波長、又はより正確には２個の異なる検出波長に中心を有する少なくとも２個の検出スペクトル帯域での画像の形成である。赤外スペクトル帯域は本明細書において、１μｍ〜１５μｍの波長の全てとして定義される。
【００３６】
図２Ａの２０で示す赤外領域でのマルチスペクトル撮像用の装置は、例えば、チャンバ２１内に、所定の寸法の基本検出器２３ｉ又はピクセルの組を含む検出マトリクスアレイ２３、基本検出器２３ｉにより配信される信号を処理する読み出し回路２５、読み出し回路２５に接続された処理ユニット２６、及び図２Ｂに一例を示す基本金属誘電体導波モード共鳴フィルタ２４ｉのマトリクスアレイ２４を含んでいる。赤外領域のマルチスペクトル撮像用の装置は更に、チャンバ内又はチャンバ外に配置されていて赤外領域での画像形成に適して画像形成光学系２２を含んでいる。
【００３７】
赤外領域に適した検出マトリクスアレイは任意の種類の公知のマトリクスアレイ検出器（１Ｄ細片又は２Ｄ検出器）、例えば、ＭＣＴ（水銀カドミウムテルル用）、ＩｎＡｓ、（ＡｌＧＡＡｓ／Ａｓ／ＧａＡｓ）ＱＷＩＰ又は（ＩｎＡｓ／ＧａＳｂ）超格子検出器を含んでいてよく、これらの検出器は冷却されたチャンバ２１内で動作する。例えば、マイクロボロメータ等、冷却されていない環境での動作に適した他の種類の検出器を用いてもよい。
【００３８】
典型的に、１μｍ〜５０μｍの間でマルチスペクトル撮像用の装置の動作用に、寸法が１５μｍ〜３０μｍの基本検出器が用いられる可能性があり、前記基本検出器は検出細片（例：２８８×４ピクセルフォーマットの）又は２次元マトリクスアレイ（例：６４０×４８０ピクセルフォーマットの）に配置されている。検出マトリクスアレイの寸法は、画像形成装置の像視野の寸法を画定する。
【００３９】
画像形成光学系２２は、開口数Ｎ及び焦点距離Ｆにより特徴付けられ、ＮはＤ／Ｆに等しく、Ｄは画像形成光学系の瞳孔径である。画像形成光学系は、注目する波長で透明な材料、例えば、ゲルマニウムからなる１個以上のレンズを含んでいてよい。
【００４０】
画像形成光学系２２は、検出マトリクスアレイ２３上のシーンの画像形成に適している。実施に際して、任意の光学システムでも同様に、画像形成光学系に対して、所与の波長における像視野内の点での基本焦点及び焦点深度を定義することができる。
【００４１】
視野内の所与の位置における焦点の形状及びサイズ並びに焦点深度（又は像視野深度）は公知のように、画像形成光学系の光幾何学的特徴により所与の波長で定義される。
【００４２】
例えば、軸対称な画像形成光学系の場合、焦点の直径φは、回折限界、すなわち、
φ＝２．４４λＮ    （１）
により定義できる。
ここにＮは画像形成光学系の開口数（Ｎ＝Ｄ／Ｆ、Ｄは画像形成光学系の瞳孔径、及びＦは焦点距離）及びλは波長である。従って、例えば、開口数がＮ＝３、波長がλ＝４．１μｍであるスペクトル撮像用の装置の場合、焦点の直径は約３０μｍである。
【００４３】
更に、焦点深度、又は像視野深度は基本的に、使用する光学系の開口数及び波長に依存する。焦点深度は画像空間で測定された間隔として定義することができ、鮮明な画像を取得できるように検出器のマトリクスアレイを当該空間内に配置する必要がある。
【００４４】
例えば、焦点深度Ｐｆの推定値は次式で与えられる。
Ｐｆ＝２Ｎφ    （２）
【００４５】
従って、開口数Ｎ＝３及び焦点φ＝３０μｍに対して、焦点深度Ｐｆ＝１８０μｍが得られる。
【００４６】
実施に際して、本明細書によれば、焦点は、マトリクスアレイ２３が基本検出器の行で形成されている場合は少なくとも２個の並置された基本検出器の組をカバーし、マトリクスアレイ２３が基本検出器の複数の行で形成されている場合は少なくとも４個の並置された基本検出器の組をカバーすることができる。本発明による撮像用の装置が複数の波長を検出すべく意図されているため、最短検出波長λｍｉｎを用いて回折点の直径φ及び焦点深度を推定することができる。
【００４７】
図２Ｂに示すように、基本金属誘電体導波モード共鳴フィルタのマトリクスアレイ２４は、例えば、焦点深度よりも短い所与の距離ｄを置いて検出マトリクスアレイ２３の前方に配置されているため、各基本フィルタと同じ高さの光ビームの過剰な発散を回避できるようになる。
【００４８】
更に、基本フィルタの寸法は、像視野の各点に形成された各基本焦点が少なくとも２個の基本フィルタをカバーするように選択されていて、これら２個の基本フィルタは、２個の検出波長に等しい２個の異なる中心波長に中心を有するスペクトル帯域内の通過帯域伝送に最適化されている。従って、基本検出器は、各基本焦点と同じ高さで、異なる検出波長に中心を有するスペクトル帯域において、フィルタリングされた光束を受光する。
【００４９】
例えば、図２Ｂに、基本フィルタ２４ｉの２次元マトリクスアレイ２４の模式図を示す。本例では、異なる検出波長に中心を有するスペクトル帯域内での検出に各々最適化された４個の基本フィルタで形成されたゾーンＺｉを画定することができる。実施に際して、フィルタのマトリクスアレイ２４上に形成されていて、例えば、最短検出波長を用いて計算された画像形成光学系の焦点は、フレームＺｉに刻印された円形ゾーンをカバーするであろう。
【００５０】
実施に際して、基本フィルタの寸法は、図２Ｂに示す基本検出器の寸法とほぼ同一であってよい。しかし、基本フィルタが基本検出器よりも僅かに大きい又は僅かに小さいことも全くあり得る。
【００５１】
例えば、基本フィルタの寸法は、基本フィルタのマトリクスアレイが画像形成光学系の焦点深度に配置されていて、且つ基本焦点内に、２個の別々の検出波長に中心を有するスペクトル帯域内の透過に適した少なくとも２個の基本フィルタが存在する前提で、２個の基本検出器（１Ｄ検出細片の場合）又は４個の基本検出器の組（２Ｄ検出マトリクスアレイの場合）のグループをカバーするようなものであってよい。
【００５２】
一般に、より多数の同一又は異なる基本フィルタで形成されたゾーンＺｉを画定可能であるが、各ゾーンＺｉは、２個の検出波長に等しい２個の異なる中心波長に中心を有するスペクトル帯域内の通過帯域伝送に最適化された少なくとも２個の基本フィルタを含んでいる。基本フィルタは、各ゾーンＺｉの所与の配置に配置されていてよい。ゾーンＺｉは全て、図２Ｂの例のように同一であってよい。有利な特徴として、焦点は、隣接ゾーン間で「オーバフロー」が無いように１個のゾーンＺｉ内に含められるよう充分に小さい。例えば、焦点は円形であって１個のゾーンＺｉ内に刻印されている。
【００５３】
上述のように、基本金属誘電体導波モード共鳴（ＧＭＲ）フィルタは、誘電材料からなる導波管及び入射波を導波管の導波モードに結合すべく所与の周期で反復する所与のパターンで構築された少なくとも１個の金属格子を含んでいる。従って、基本フィルタの寸法が、図２Ｂに示すように基本フィルタの寸法が実施に際して金属格子のパターンの寸法の倍数であるため、基本検出器の寸法とほぼ同じ場合であっても、基本フィルタは恐らく基本検出器よりも僅かに大きいか又は僅かに小さく、その差異は検出波長よりも小さい。
【００５４】
図２Ａに見られるように、基本フィルタ２４ｉは収束光ビームＦ０、Ｆ１を受光し、視野端（ビームＦ１）におけるビームの収束は視野中心（ビームＦ０）におけるよりも大きい。特に、基本検出器の前記マトリクスアレイに垂直な方向において基本検出器のマトリクスアレイに到達すべく意図された最大傾斜光ビームの角度として定義される、視野端角αを定義することができる。当該角度は、基本検出器のマトリクスアレイの寸法、開口数、及び画像形成光学系の焦点距離に依存する。より正確には、次式により視野端角αを定義することができる。
【数１】
2020520467.tif 000003
ここにｎｐｉｘは（１次元の）検出ピクセルの最大数、及びｔｐｉｘはピクセルのピッチである。
【００５５】
例えば、１行内の検出ピクセルの個数ｎｐｉｘ＝６４０、ピクセルピッチｔｐｉｘ＝１５μｍ、形成光学系の直径Ｄ＝２５ｍｍ、及び焦点距離Ｆ＝５０ｍｍの場合、視野端角α＝１９°が得られる。
【００５６】
従って、基本フィルタの全て又は一部、特に視野端に位置する基本フィルタは、装置の視野端角以上の角度公差を有している可能性がある。
【００５７】
従来技術で公知の各種の基本金属誘電体導波モード共鳴（ＧＭＲ）フィルタを本明細書による赤外マルチスペクトル撮像用の装置の実装に用いることができる。
【００５８】
本明細書によるマルチスペクトル撮像用の装置の赤外スペクトルフィルタリングに用いるＧＭＲフィルタの寸法決めは以下のステップを含んでいてよい。
【００５９】
検出波長λｄｉ及び当該検出波長での検出スペクトル帯域の幅Δλｉは用途に応じて画定される。例えば、１個の特定の化学種を検出する場合、狭い検出スペクトル帯域幅（０．５μｍより狭い）を探索することが有利であり得、他の用途、例えば、物体の放射率を評価する場合、より広い検出スペクトル帯域幅（１μｍよりも大きい）を探索することが有利であり得る。
【００６０】
検出マトリクスアレイの特徴、すなわち検出細片又は２次元マトリクスアレイ、各方向におけるピクセルの個数（ｎｐｉｘ）及び１個のピクセルのサイズ（ｔｐｉｘ）も用途に応じて設定される。
【００６１】
装置の光幾何学的特性、特に画像形成光学系の開口数Ｎ及び焦点距離Ｆが、観察対象のシーン、検出器（空間解像度）、及び装置に必要な最大嵩高に応じて選択される。
【００６２】
求める検出波長λｄｉ、当該検出波長での検出スペクトル帯域の幅Δλｉ、及び検出装置の光幾何学的パラメータに応じて、基本フィルタをどのように選択して寸法決めするかを以下に画定する。特に、後述するように、基本フィルタの所与のマトリクスアレイにおいて、１種類以上のフィルタ（ＤＭＧ、二原子等）を決定することができる。
【００６３】
各種類のフィルタに対して、フィルタに求められる光学的特徴、すなわち、最大透過率Ｔｍａｘ、共鳴波長λｒ、共鳴の幅Δλ及び角度公差Δθを可能にするフィルタの幾何学的パラメータの決定が求められる。実施に際して、透過率が最大Ｔｍａｘである透過スペクトル帯域の中心波長に対応する求める共鳴波長λｒは検出波長λｄｉに等しくなる。求める共鳴の幅Δλは透過時のフィルタのスペクトル応答の半最大値における全幅に対応しており、検出スペクトル帯域の幅Δλｉに等しくなり、求める角度公差Δθは装置の視野端角αに依存して画定することができる（上式（３）参照）。
【００６４】
基本フィルタの角度公差Δθに関して、マトリクスアレイの全てのフィルタ、又は視野端に位置する少なくともいくつかのフィルタについて視野端角αよりも大きくなるように選択されることが有利であり得る。角度公差Δθが視野端角αよりも小さい場合、フィルタは動作し続けるが、共鳴Ｔｍａｘでの透過率が減少するため効果が減少し、品質係数Ｑｉ＝λｄｉ／Δλｉが低下する恐れがある。
【００６５】
ある種類のフィルタが選択されたならば、基本フィルタのパラメータの決定は以下のステップを含んでいてよい。（１）第１のパラメータの選択、（２）数値シミュレーションによる第１のパラメータの検証（波長の関数としての透過率のシミュレーション及び入射角の関数としての透過率のシミュレーション）及び（３）シミュレーション結果に応じたパラメータの変更。
【００６６】
数値シミュレーションにより第１のパラメータを検証するステップ（２）に対して、収束ビームによるフィルタの伝送のシミュレーションを行うことができる。当該シミュレーションは、入射収束ビームを異なる入射角の平面波に分解し、各基本平面波の伝搬をシミュレートして、伝搬の後で基本平面波を合算するステップを含んでいる。出願人はしかし、「平面波による」フィルタの伝送のシミュレーションが用いてよいことを提示してきた。その理由は、平面波による簡素化された数値シミュレーションにより取得されたパラメータが、波の入射角がフィルタの角度公差の範囲内に残ると仮定すれば、収束ビームの透過率のシミュレーションにより得られたパラメータとほぼ類似しているためである。
【００６７】
いずれの場合も、各種の公知の方法は、入射電磁波への基本フィルタの反応をシミュレートすべく用いられてよい。例えば、Ｍ．Ｇ．Ｍｏｈａｒａｍ  ｅｔ  ａｌ．ＪＯＳＡＡ，１２，１０６８（１９９５）に記述されている厳密な結合波解析（ＲＣＷＡ）等のモーダル計算法を、例えば用いることができる。例えば、ＣＯＭＳＯＬ  Ｍｕｌｔｉｐｈｙｓｉｃｓ（登録商標）ソフトウェアパッケージに実装された有限要素方法（ＦＥＭ）又はＬＵＭＥＲＩＣＡＬ（登録商標）ソフトウェアパッケージに実装された有限差時間領域（ＦＤＴＤ）法を用いてもよい。以下の記述に示す曲線は、モーダル計算法を用いて、より具体的には平面波及び１次元パターン（スリット）を仮定してＭａｔｌａｂ（登録商標）のＲｅｔｉｃｏｌｏ計算コード（Ｐ．Ｈｕｇｏｎｉｎ  ａｎｄ  Ｐ．Ｌａｌａｎｎｅ，“Ｒｅｔｉｃｏｌｏ  ｓｏｆｔｗａｒｅ  ｆｏｒ  ｇｒａｔｉｎｇ  ａｎａｌｙｓｉｓ”，Ｉｎｓｔｉｔｕｔ  ｄ’Ｏｐｔｉｑｕｅ，Ｏｒｓａｙ，Ｆｒａｎｃｅ（２００５））用いて計算された。
【００６８】
上述のように、所与の共鳴波長λｒに中心を有するスペクトル帯域内の通過帯域伝送に最適化された基本金属誘電体導波モード共鳴フィルタは、本明細書の文脈で、前記波長単一モードでのみ動作可能な導波管を形成する誘電材料（屈折率ｎｄ及び厚さｔｄ）からなる層、及び前記共鳴波長よりも短い所与の周期（ｐ）で反復する所与のパターンで構築された少なくとも１個の金属回折格子（屈折率ｎｍ及び厚さＴｍ）を含んでいる。回折格子は、共鳴波長での入射波を導波モードに結合するのに適している。当該パターンは所与の寸法の１個以上の開口を含み、開口は２次元（例えば、十字又は円形開口）又は１次元（スリット）であってよい。開口は誘電材料で満たされていて、当該材料は、各種フィルタのうち注目するものに応じて周辺空気又は、例えば、導波管を形成する誘電材料又は基板を形成する誘電材料等の他の誘電材料であってよい。
【００６９】
本明細書によるマルチスペクトル撮像用の装置を製造するための基本金属誘電体導波モード共鳴フィルタの設計の３例を以下に示す。これらの例は非限定的であり、基本導波モード共鳴フィルタを製造するのに他の幾何学的形状も使用できる。いずれの場合も、同様の方法を適用してフィルタのパラメータを定義することができる。
【００７０】
第１の例について図３Ａ〜３Ｃを参照しながら記述する。
【００７１】
図３Ａに、寸法ｐの１個の基本フィルタ３０の１個のパターンだけを示している。実施に際して、基本フィルタは、パターンの反復を含み、従って周期ｐを有する回折格子の形成を示している。
【００７２】
図３Ａに示す基本フィルタ３０は懸架二重金属格子（ＤＭＧ）である。基本フィルタ３０は、共鳴波長λｒで単一モードでのみ動作可能な導波管を形成する誘電材料からなる層３１、及び誘電材料からなる層の両側に配置された２個の金属回折格子３２、３３を含み、ＤＭＧは空気等の流体又は真空中に懸架されている。各金属格子は、共鳴波長波長よりも短い所与の周期ｐで反復する所与のパターンで構築されている。より正確には、図３Ａの例において、第１の金属格子３２は、各々の幅がａ１及びａ２である２個のスリット３２１、３２２を有するパターンを含み、第２の金属格子３３は、各々の幅が第１の格子のパターンのスリットの幅と同一のａ１及びａ２である２個のスリット３３１、３３２を有するパターンを含んでいる。
【００７３】
図３Ａの例において、金属格子は、パターン毎に幅が異なる２個のスリットを含んでいるため「二原子」と言われる。このような種類の基本二原子ＤＭＧフィルタは、例えば、Ｅ．Ｓａｋａｔ  ｅｔ  ａｌ．２０１３に記述されている。しかし、これらのフィルタが角度公差の観点から有利であるが、「単原子の」基本懸架ＤＭＧフィルタ、すなわち、例えば、Ｃ．Ｔａｒｄｉｅｕ  ｅｔ  ａｌ．Ｏｐｔｉｃｓ  Ｌｅｔｔｅｒｓ  ４０，４（２０１５）に記述されているように金属回折格子のパターンが１個のスリットだけを含むフィルタを用いるマルチスペクトル撮像用の装置を設計することもできることを注記しておく。
【００７４】
第１のパラメータを決定するステップ（１）において、導波管の厚さ及び屈折率ｔｇ及びｎｇを最初に選択する。ｔｇ及びｎｇは、導波管が所望の共鳴波長λｒで単一モードでのみ動作可能であるように充分小さく選択される。従ってこれは以下の条件を満たす。
【数２】
2020520467.tif 000004
【００７５】
次に、誘電体の周期ｐ及び屈折率ｎｇが、共鳴波長での垂直入射の平面波が導波管内でオーダー３だけ、且つ自由空間（入射媒体又は伝送媒体）内でオーダー０だけ回析されるように調整される。これを実現すべく、透過格子の公知の法則を適用する。
【００７６】
従って、この場合幅が異なる（ａ１≠ａ２）２個のスリットを求めることに留意しながらスリットの幅を調整することができる。幅広スリットでは共鳴で高い透過率が得られるが、品質係数が低下する。より狭い共鳴を得るためにより狭いスリットが必要である。
【００７７】
実施に際して、出願人は、注目する検出波長（例えば、３μｍ〜５μｍ）において、以下の範囲の値からフィルタのパラメータを選択できることを提示してきた。
金（Ａｕ）、銀（Ａｇ）、又は銅（Ｃｕ）からなる金属格子３２、３３、
λｒ／１００〜λｒ／１０の範囲のｔｍ、
ｐ＜λｒ、
ａ１＜λｒ／４、ａ２＜λｒ／４、ａ１≠ａ２、
誘電材料、例えば、炭化ケイ素（ＳｉＣ）又は窒化ケイ素（ＳｉＮ）、
λｒ／２０〜λｒ／２の範囲のｔｄ。
【００７８】
最長波長のスペクトル範囲、例えば、８〜１２μｍの範囲の場合、当然典型的な寸法はより大きくなる。
【００７９】
ステップ（２）において、最初に選択されたパラメータを有する各フィルタの光学的特徴を、数値シミュレーションを用いて検証される。
【００８０】
これを行うため、フィルタの共鳴時における透過率の値Ｔｍａｘ及び共鳴波長λｒの各々に対応する、シミュレートされた波長範囲内の最大透過率及び波長での位置（図３Ｂ）を取得すべく当該フィルタの透過スペクトルを計算する。共鳴の半最大値Δλの全幅も取得される。決定された波長λｒの透過率の、平面波の入射角の関数としての変化も計算される。垂直入射で透過率が半分の値に低下する角度に対応するフィルタの角度公差Δθがそこから推論される。
【００８１】
図３Ａ、３Ｂに示す曲線は従って、図３Ａに示すような導波モード共鳴フィルタの波長の関数としての透過率、及び入射角の関数としての透過率を以下のパラメータと共に示している。
周期ｐ＝３μｍ、ａ１＝０．２μｍ、ａ２＝０．７μｍ、ｔｍ＝０．１μｍ及びｔｄ＝０．６５μｍ、ｎｄ＝２．１５（ＳｉＮｘ）であり、ｎｍは金のドルーデモデルにより与えられる。
【００８２】
上述のフィルタに対してシミュレーションは、以下を与える。
λｒ＝４．０１μｍ、Ｔｍａｘ＝７５％、Δθ＝１７°及びΔλ＝１２０ｎｍ
【００８３】
求める特徴に応じて、フィルタを設計するステップ（３）は、最適化目的でパラメータを潜在的に変更するステップを含んでいる。例えば、周期ｐを短縮することにより、より低い共鳴波長が得られる。導波管の屈折率を高めることにより、より高い角度公差が得られる。２個のスリットの幅を狭めることにより、スペクトル的により狭い共鳴が得られる。しかし、１個の光学的特徴の値を変えるべくパラメータを変更する都度、他の光学的特徴が劣化する恐れがあるため、他のパラメータを再調整する必要がある。例えば、粒子群最適化等の最適化アルゴリズムを用いて最良のパラメータを発見することもできる（Ｍｅｈｒｄａｄ  Ｓｈｏｋｏｏｈ−Ｓａｒｅｍｉａｎｄ  ｅｔ  ａｌ．“Ｐａｒｔｉｃｌｅ  ｓｗａｒｍ  ｏｐｔｉｍｉｚａｔｉｏｎ  ａｎｄ  ｉｔｓ  ａｐｐｌｉｃａｔｉｏｎ  ｔｏ  ｔｈｅ  ｄｅｓｉｇｎ  ｏｆ  ｄｉｆｆｒａｃｔｉｏｎ  ｇｒａｔｉｎｇ  ｆｉｌｔｅｒｓ”Ｏｐｔ．Ｌｅｔｔ．３２，８９４−８９６（２００７））。
【００８４】
第２の例について図４Ａ〜４Ｃを参照しながら記述する。
【００８５】
図４Ａでは図３Ａと同様に、寸法ｐの１個の基本フィルタ４０の１個のパターンだけを示す。実施に際して、基本フィルタはパターンの反復を含み、従って周期ｐを有する回折格子の形成を示している。
【００８６】
図４Ａに示す基本フィルタ４０は基板を有する二原子二重金属格子（ＤＭＧ）フィルタである。当該フィルタは、共鳴波長λｒで単一モードでのみ動作可能な導波管を形成する誘電材料４１（厚さｔｄ、屈折率ｎｄ）からなる層、及び誘電材料からなる層の両側に配置された２個の金属回折格子４２、４３（厚さｔｍ１、ｔｍ１、屈折率ｎｍ１、ｎｍ２）を含んでいる。当該フィルタは更に、屈折率ｎｓｕｂ（ｎｓｕｂ＜ｎｄ）の基板４４を含み、本例ではその上に誘電材料からなる層４１及び金属回折格子４２が堆積されている。各金属格子は、所与のパターンで構築されていて、当該パターンは共鳴波長よりも短い所与の周期ｐで各格子毎に反復する。より正確には、図４Ａの例において、第１の金属格子３２は各々の幅がｂ１及びｂ２である２個のスリット４２１、４２２を有するパターンを含み、第２の金属格子４３は各々の幅がａ’１及びａ’２である２個のスリット４３１、４３２を有するパターンを含んでいる。
【００８７】
実施に際して、求める特徴を取得する意図でパラメータの第１の推定値を取得すべく、図３Ａに示すような懸架ＤＭＧ濾過装置から開始してよい。次いで適当な基板を選択して、基板と接触している格子のスリットの幅を調整する。単一モード導波管を維持すべく、可能な最小屈折率の基板及び高屈折率の導波管を求める。周期ｐは、懸架導波管に関して、格子により回析されたオーダー０だけが基板を通って伝搬するように選択される。本例では、図３Ａの例とは逆に、格子４２のスリットの幅及び／又は厚さは、基板の屈折率の変化を補償すべく格子４３の幅及び／又は厚さとは異なる。このようなフィルタは、例えば、Ｃ．Ｔｕａｍｂｉｌａｎｇａｎａ  ｅｔ  ａｌ．，Ｏｐｔｉｃｓ  Ｅｘｐｒｅｓｓ２３，２５（２０１５）に記述されている。
【００８８】
上述のように、図４Ａの例に二原子金属格子が示されているが、単原子基板ＤＭＧフィルタ向けにパラメータを最適化することもできる。
【００８９】
図４Ａ、４Ｂ（ステップ２）に示す曲線は、図４Ａに示すような導波モード共鳴フィルタの波長の関数としての透過率、及び入射角の関数としての透過率を以下のパラメータと共に示している。
周期ｐ＝２μｍ、ａ１＝０．１２μｍ、ａ２＝０．６２μｍ、ｂ１＝０．１５μｍ、ｂ２＝０．６５μｍ、ｔｍ１＝０．１μｍ、ｔｍ２＝０．０５μｍ、ｔｄ＝０．６μｍ、ｎｇ＝２．８４（ＳｉＣ）、及びｎｍは金のドルーデモデルにより与えられる。
【００９０】
上述のフィルタに対してシミュレーションは、以下を与える。
λｒ＝３．９８μｍ、Ｔｍａｘ＝９２％、Δθ＝２０°及びΔλ＝１６０ｎｍ
【００９１】
求める特徴に応じてパラメータを最適化すべくパラメータを変更するステップ（３）を上述のように実行することができる。
【００９２】
第２の例について図５Ａ〜５Ｃを参照しながら記述する。
【００９３】
図５Ａでは図３Ａと同様に、寸法ｐの１個の基本フィルタ５０の１個のパターンだけを示す。実施に際して、基本フィルタはパターンの反復を含み、従って周期ｐを有する回折格子の形成を示している。
【００９４】
図５Ａに示す基本フィルタ５０は前面に単一の金属化部、及び基板を有する種類のものである。当該フィルタは、共鳴波長λｒで単一モードでのみ動作可能な導波管を形成する誘電材料（厚さｔｄ、屈折率ｎｄ）からなる層５１、及び今回は誘電材料からなる層の同じ側に配置された２個の金属回折格子５２、３３（厚さｔｍ１及びｔｍ２、屈折率ｎｍ）を含んでいる。当該フィルタは更に、誘電材料からなる層５１が堆積された屈折率ｎｓｕｂ（ｎｓｕｂ＜ｎｇ）の基板５４（格子を搭載した側とは反対側の基板）を含んでいる。各金属格子は、各格子毎に共鳴波長よりも短い所与の周期ｐで反復する所与のパターンで構築されている。より正確には、図５Ａの例において、第１の金属格子５２は同一の幅ｂ’１の２個のスリット５２１を有するパターンを含み、第２の金属格子５３は幅ａ’’１の単一スリット５３１を有するパターンを含んでいる。
【００９５】
実施に際して、求める特徴を取得する意図でパラメータの第１の推定値を取得すべく、図３Ａに示すような（但し単原子構成の）懸架ＤＭＧ濾過装置から開始してもよい。次いで適当な基板を選択して、品質係数及び角度公差を変更すべく各格子の単一スリットの幅及び厚さを調整する。
【００９６】
図５Ａ、５Ｂ（ステップ２）に示す曲線は、図５Ａに示すような導波モード共鳴フィルタの波長の関数としての透過率、及び入射角の関数としての透過率を以下のパラメータと共に示している。
周期ｐ＝１．５μｍ、ａ’’１＝０．２μｍ、ｂ’１＝０．１μｍ、ｔｍ１＝０．１μｍ、ｔｍ２＝０．１３μｍ、ｔｄ＝０．６３μｍ、ｎｄ＝２．１５（ＳｉＮｘ）、及びｎｍは金のドルーデモデルにより与えられる。
【００９７】
上述のフィルタに対してシミュレーションは、以下を与える。
λｒ＝３．８９μｍ、Ｔｍａｘ＝７０％、Δθ＝１５°及びΔλ＝３２０ｎｍ
【００９８】
求める特徴に応じてパラメータを最適化すべくパラメータを変更するステップ（３）を上述のように実行することができる。
【００９９】
出願人は、上述の金属誘電体ＧＭＲフィルタが集光ビームにより、検出ピクセルの寸法領域にわたり動作可能であることを提示してきた。
【０１００】
従って図６Ａに、本例では各々が波長λＡ、λＢに中心を有するスペクトル帯域の共鳴透過に適した基本フィルタ２４Ａ、２４Ｂを含む基本導波モード共鳴フィルタのマトリクスアレイ２４の断面図を示す。本例において、マトリクスアレイ２４は、基本フィルタの行で形成されていて、基本検出器の細片を備えた赤外マルチスペクトル画像形成装置で必要とされるフィルタリングに適している。しかし、基本検出器の２Ｄマトリクスアレイを備えた赤外マルチスペクトル画像形成装置で必要とされるフィルタリングに適した基本フィルタの２Ｄマトリクスアレイでも同様である。各フィルタは、１個のフィルタの寸法が１個のピクセルの寸法とほぼ同一であるように数周期のパターンで形成された回折格子を含んでいる。
【０１０１】
集光ビームＦ０の下でのフィルタの挙動が調べられており、光ビームＦ０は、波長λＡ、λＢを含む波長の全範囲を含んでいる。出願人は、共鳴時における導波管の電磁場の広がりが制限され、電磁場はフィルタ２４Ａ内で波長λＡ、フィルタ２４Ｂ内で波長λＢに局所化されていることを提示してきた。従って、フィルタのマトリクスアレイからの出力として、中心波長λＡ及びλＢにおいて光ビームＦａ及びＦｂが各々得られる。
【０１０２】
従って図６Ｂに、基本フィルタ内における磁場の強度を計算する数値シミュレーション結果を示しており、当該シミュレーションは図６Ａに示すような基本フィルタのマトリクスアレイにより実行された。当該シミュレーションにおいて、各フィルタ２４Ａ、２４ＢはλＡ＝４μｍ及びλＢ＝４．７μｍの共鳴波長に各々最適化された（例えば、図３Ａに示す）懸架二原子ＤＭＧフィルタであった。図６Ａの拡大部３０は１パターンに限定したフィルタ２４Ａを詳細に示す。フィルタの特徴は以下の通りであった。フィルタ２４Ａの場合、周期ｐＡ＝３μｍ、周期の個数＝５、スリットの幅ａ１Ａ＝０．２μｍ、ａ２Ａ＝０．５μｍ。フィルタ２４Ｂの場合、周期ｐＡ＝３．７μｍ、周期の個数＝４、スリットの幅ａ１Ｂ＝０．１μｍ、ａ２Ｂ＝０．７μｍ。両方のフィルタ２４Ａ、２４Ｂに対して、シミュレーションはＳｉＮで形成された誘電材料からなる層及びＡｕからなる金属格子を用いて実行された。更に、ｔｍＡ＝ｔｍＢ＝０．１μｍ且つｔｄＡ＝ｔｄＢ＝０．６５μｍ。
【０１０３】
上述のシミュレーションにおいて、フィルタは開口半角が９°の集光ビームＦ０により波長λＢで照射された。導波モード共鳴フィルタの問題ではあるが、電磁場が実際にフィルタＢ内に局所化されていて、入射光だけを透過させることが分かる。
【０１０４】
本明細書によるマルチスペクトル撮像用の装置に適した基本金属誘電体導波モード共鳴フィルタのマトリクスアレイを、例えば、本明細書で参照する論文に記述されたような公知の方法を用いて製造することができる。マトリクスアレイは、基板上に堆積されても、又は懸架されていてもよい。
【０１０５】
次いで基本検出器のマトリクスアレイに近接した基本フィルタのマトリクスアレイの配置を様々な仕方で実現することができる。基本フィルタのマトリクスアレイは、例えば、スペーサにより接着性結合無しに配置することができる。当該マトリクスアレイは、フィルタリング波長範囲内で透明な接着剤により接着結合されていてもよい。基板又は接着剤の界面での反射を防止すべく、必要ならば反射防止層を追加してもよい。接着結合は、様々な仕方で実現することができる。例えば、フィルタを反転させて上部を格子と共に検出器のマトリクスアレイに接着結合してもよい。しかし、別の例によれば、基板上フィルタの場合、典型的な厚さ（３００μｍ超）は一般に焦点深度よりも厚く、機械研磨又は化学エッチングを介して基板を薄くして、検出器のマトリクスアレイに基板を接着結合することができる。
【０１０６】
実施形態の特定の数の詳細な例を通じて説明してきたが、本明細書による赤外マルチスペクトル撮像用の方法及び装置に対する各種の変型、変更及び改良は当業者には明らかであり、これら各種の変型、変更及び改良が以下の請求項により規定される本発明の範囲の一部をなすことが理解されよう。
【図１】
2020520467.tif 000005
【図２Ａ】
2020520467.tif 000006
【図２Ｂ】
2020520467.tif 000007
【図３Ａ】
2020520467.tif 000008
【図３Ｂ】
2020520467.tif 000009
【図３Ｃ】
2020520467.tif 000010
【図４Ａ】
2020520467.tif 000011
【図４Ｂ】
2020520467.tif 000012
【図４Ｃ】
2020520467.tif 000013
【図５Ａ】
2020520467.tif 000014
【図５Ｂ】
2020520467.tif 000015
【図５Ｃ】
2020520467.tif 000016
【図６Ａ】
2020520467.tif 000017
【図６Ｂ】
2020520467.tif 000018
【国際調査報告】
2020520467.tif 000019
2020520467.tif 000020
2020520467.tif 000021
2020520467.tif 000022
2020520467.tif 000023
2020520467.tif 000024